(57)【要約】【課題】情報信号の高密度な記録を行うことができることに加え、より表面に凹部を形成させることにより、これに追従させた各種処理を実行することが可能なディスク状記録媒体を提供する。【解決手段】  情報信号の書き換えが可能な書換可能領域のトラックに各々トラッキング制御用の案内溝８１ａが形成された光ディスク２において、案内溝８１ａが形成された基板上には、情報信号を書き込むための記録層８３が積層され、記録層８３は、少なくとも書換可能領域においてマルチビームの近接場光により情報信号の書き換えが可能とされ、当該光ディスク２の最表面には、案内溝８１ａが形成されている位置に応じて凹部８５ａを形成させる。【選択図】  図４
2006012336.tif 000002
【特許請求の範囲】
【請求項１】
情報信号の書き換えが可能な書換可能領域のトラックに各々トラッキング制御用の案内溝が形成されたディスク状記録媒体において、
上記案内溝が形成された基板上には、上記情報信号を書き込むための記録層が積層され、
上記記録層は、少なくとも書換可能領域においてマルチビームの近接場光により上記情報信号の書き換えが可能とされ、
当該ディスク状記録媒体の最表面には、上記案内溝が形成されている位置に応じて凹部が形成されていること
を特徴とするディスク状記録媒体。
【請求項２】
上記案内溝は、上記マルチビームの近接場光のスポット間隔ｄ以下の幅で構成され、また上記スポットの数ｎとしたときｄ×ｎ以上のピッチで構成されてなること
を特徴とする請求項１記載のディスク状記録媒体。
【請求項３】
当該ディスク状記録媒体の最表面に至るまでの層は、ダイヤモンド状カーボン （DLC;Diamond Like Carbon）膜で構成されていること
を特徴とする請求項１記載のディスク状記録媒体。
【請求項４】
上記案内溝は、蛇行させて形成されてなること
を特徴とする請求項１記載のディスク状記録媒体。
【請求項５】
情報信号の書き換えが可能な書換可能領域のトラックに各々トラッキング制御用の案内溝が形成されたディスク状記録媒体につき記録／再生処理するディスク装置において、
上記情報信号としての近接場光をマルチビームで上記書換可能領域に滲出させるための２軸アクチュエータと、当該２軸アクチュエータを所望のトラック位置へ移動させるための駆動制御部とを有する制御手段とを備え、
上記制御手段は、上記案内溝が形成された基板上に、少なくとも書換可能領域において上記情報信号を書き込むための記録層が積層され、さらに上記案内溝が形成されている位置に応じて最表面に凹部が形成されているディスク状記録媒体が挿入された場合には、上記近接場光によるスポット列が上記凹部に応じて配列されるように、上記駆動制御部を介して上記２軸アクチュエータを制御すること
を特徴とするディスク装置。
【請求項６】
上記制御手段における２軸アクチュエータは、供給された光を集光させるとともに上記近接場光を滲出させるための対物レンズを備え、
上記対物レンズのＮＡは、１.０以上であること
を特徴とする請求項５記載のディスク装置。
【発明の詳細な説明】
【技術分野】
【０００１】
本発明は、近接場光を用いて光学的に情報信号の記録或いは再生を行うディスク状記録媒体、当該ディスク状記録媒体につき記録／再生処理を施すためのディスク装置に関する。
【背景技術】
【０００２】
磁気記録媒体や光記録媒体の高密度化、大容量化が近年において進んできている。光記録媒体においては、ＤＶＤが市場に導入され、さらにそれに数倍以上にも亘る記録密度を有する次世代のＤＶＤの開発も進められている。一方、ハードディスク磁気記録装置（ＨＤＤ）の記録密度も年々増加している。
【０００３】
しかしながら、画像情報のデジタル化や高精細化、光通信の高速度化に伴い、さらなるストレージの大容量化、高密度化が求められており、２０１０年には１Tbits/(inch）2の記録密度の達成が期待されている。
【０００４】
ハードディスク磁気記録装置では、超常磁性効果や、磁気ヘッドのギャップ幅の制御の困難性から、１００〜３００Gbpsiが限界といわれ、その限界を超えるものとして、光アシスト磁気記録が期待されている。
【０００５】
また、光記録媒体においては、近接場光を利用した光記録が記録密度の高度化を図る上で期待されている。この近接場光とは、微小開口や微小物体の周囲において光の回折限界以下の領域内に存在する非伝播光である。他の物体を当該微小開口や微小物体の回折限界以下の距離まで近接させると、近接場光は当該物体内へ伝播するとともに相互作用を誘起させる。このような近接場光を滲出させるためには、微小開口や微小物体のサイズをより微細化することにより実現することができる。また、この滲出させた近接場光を光記録媒体に照射することにより高密度の光記録を行うことが可能となる。この近接場光を用いた光記録においては、ＤＶＤ等と同様に単一光スポットを案内溝（グルーブ：Groove）又は畝（ランド：Land）に追従させて、記録や再生を行う。
【０００６】
ところで、上述した近接場光を用いて光記録媒体上に情報を記録するためには、グルーブの形成されていない平滑な書換可能領域に対してこれを実行する必要があり、特に高密度に情報を記録するためには、かかる平滑な書換可能領域の面積を増加させる必要がある。
【０００７】
しかしながら、従来の光記録媒体においては、光記録媒体上に記録される記録領域がグルーブに沿うように形成されているところ、近接場光による光スポットに対して１つの案内溝が対応する構成とされている。このため、記録密度を向上させるべく光記録媒体上に数多くの光スポットを形成させた場合には、形成させた光スポットに応じたグルーブが必要となる。現実的にこのような数多くの光スポットに応じたグルーブをスパイラル状に細かいピッチでカッティングするのは容易ではない。
【０００８】
通常、光記録媒体上においてグルーブを２本並列で形成させるためには、カッティング時も２本のビームを使用することによりこれを実現するか、或いは高速カッティング用の光ビームをウォブルさせることで、これを擬似的に実現する必要があるが、必要なグルーブが３本、４本と増えていくにつれて、作製の難易度が増加してしまうという問題点がある。
【０００９】
かかる問題を解決すべく、従来において、この近接場光を用いた光記録の高密度化と転送レートの向上を図った光記録媒体、記録再生装置等が提案されている（例えば、特許文献１参照。）。この従来例においては、スイングアームに取り付けられた摺動若しくは浮上型のスライダーによる制御方法が開示されている。
【００１０】
しかしながら、かかる従来例においては、対物レンズが光記録媒体の面に習って駆動されるため、独立して配置されている光軸に対して、かかる対物レンズが傾いたり位置がずれたりすることが予想される。特に、近接場光による記録再生を行う場合においては、光記録媒体の表面並びに近接場光の光スポットに対する対物レンズの位置が厳格に求められるため、より信頼性の高い記録再生処理を行う上で障壁になる場合も考えられる。
【００１１】
また、記録再生処理の一工程においては、光記録媒体の表面に凹部が形成されてしまう場合もある。このような凹部が形成されてしまうと、近接場光による記録再生処理を行う場合において却って障壁となってしまう。
【００１２】
【特許文献１】特開２００３−２７２１７６号公報
【発明の開示】
【発明が解決しようとする課題】
【００１３】
本発明は、上述した問題点に鑑みて案出されたものであり、その目的とするところは、近接場光による記録再生可能なディスク状記録媒体において、情報信号の高密度な記録を行うことができることに加え、表面に形成された凹部を有効活用することにより、これに追従させた各種処理を実行することが可能なディスク状記録媒体を提供することにあり、またかかるディスク状記録媒体が挿入された場合に、情報信号の高密度な記録処理を安定して実行可能なディスク装置を提供することにある
【課題を解決するための手段】
【００１４】
本発明を適用したディスク状記録媒体は、上述した課題を解決するために、情報信号の書き換えが可能な書換可能領域のトラックに各々トラッキング制御用の案内溝が形成されたディスク状記録媒体において、案内溝が形成された基板上には、情報信号を書き込むための記録層が積層され、記録層は、少なくとも書換可能領域においてマルチビームの近接場光により上記情報信号の書き換えが可能とされ、当該ディスク状記録媒体の最表面には、案内溝が形成されている位置に応じて凹部が形成されている。
【００１５】
本発明を適用したディスク装置は、上述した課題を解決するために、情報信号の書き換えが可能な書換可能領域のトラックに各々トラッキング制御用の案内溝が形成されたディスク状記録媒体につき記録／再生処理するディスク装置において、情報信号としての近接場光をマルチビームで上記書換可能領域に滲出させるための２軸アクチュエータと、当該２軸アクチュエータを所望のトラック位置へ移動させるための駆動制御部とを有する制御手段とを備え、制御手段は、案内溝が形成された基板上に、少なくとも書換可能領域において情報信号を書き込むための記録層が積層され、さらに案内溝が形成されている位置に応じて最表面に凹部が形成されているディスク状記録媒体が挿入された場合には、近接場光によるスポット列が上記凹部に応じて配列されるように駆動制御部を介して上記２軸アクチュエータを制御する。
【発明の効果】
【００１６】
本発明では、案内溝が形成された基板上に、情報信号を書き込むための記録層を積層させ、記録層は、少なくとも書換可能領域においてマルチビームの近接場光により情報信号の書き換え可能とされ、最表面には、案内溝が形成されている位置に応じて表面に凹部を形成させている。
【００１７】
このため、特にマルチビームの近接場光により情報信号の書き換えを行う場合において、近接場光の光スポットを複数形成させることにより高密度の記録処理を実現することができることに加え、かかる凹部に追従させた各種動作を実行させることができる。またこの凹部を利用したガイドトラックの信号の取得をも実現することができる。
【発明を実施するための最良の形態】
【００１８】
以下、本発明を実施するための最良の形態について図面を参照しながら詳細に説明する。
【００１９】
本発明に係るディスク装置を適用した光記録装置の構成例を図１に示す。
【００２０】
この図１に示す光記録装置１は、リムーバブルな光ディスク２に対応した記録装置であって、光ディスク２を回転駆動させるスピンドルモータ３と、光ディスク２の信号記録面２ａ上にレーザ光を照射するとともに、光ディスク２からの戻り光を検出する光学ヘッド４と、光学ヘッド４により検出された戻り光に基づいてそれぞれ制御信号を生成するギャップ制御部６とを備えている。
【００２１】
スピンドルモータ３には、光ディスク２を装着するディスクテーブルが一体的に取り付けられる。スピンドルモータ３は、図示しないシステムコントローラから供給されるスピンドル駆動信号に基づき、駆動軸を例えば、線速度一定（CLV:Constant Linear Velocity）又は、角速度一定（CAV: Constant Angular Velocity）で回転駆動させことにより、ディスクテーブル上に装着された光ディスク２を回転させる。
【００２２】
光学ヘッド４は、スピンドルモータ３の駆動により回転操作される光ディスク２の各記録層に光ビームを合焦し、光ディスク２の信号記録面２ａにて反射した戻り光を検出して図示しない信号処理部へ出力する。この際、光学ヘッド４は、回転操作される光ディスク２の種類によって、その光ディスク２に最適な波長のレーザ光を出射するように制御される。
【００２３】
またギャップ制御部６は、光学ヘッド４から送信されるギャップエラー信号ＧＥに基づいて制御信号を生成し、これを光学ヘッド４へ出力する。即ち、この制御信号により、光学ヘッド４の備える対物レンズを光ディスク２に近接離間する方向へ微調整することができる。
【００２４】
ちなみにこの光記録装置１では、図示しないアクセス機構により、光学ヘッド４を光ディスク２の径方向に送り動作させ、またこの光学ヘッド４が光ディスク２の所定の記録トラック上に位置するように動作させてもよい。
【００２５】
次に、本発明を適用した光学ヘッド４について更に詳しく説明する。
【００２６】
この光学ヘッド４は、マルチビームのレーザ光を出射可能な半導体レーザの駆動電流を制御するＡＰＣ(Automatic Power Controller)４２と、各半導体レーザを支持するホルダ４３と、この半導体レーザから出射されたマルチビームのレーザ光の光路中に配されたビームスプリッタ４４と、このビームスプリッタ４４を透過したレーザ光を平行光とするコリメータレンズ４５と、このコリメータレンズ４５により平行光とされたレーザ光の光路中に配設されたミラー４６と、このミラー４６により反射されたレーザ光が入射する１／４波長板４７と、この１／４波長板４７を通過したレーザ光を光ディスク２の信号記録面２ａ上に集光するレンズブロック３８と、光ディスク２の信号記録面２ａから反射して戻ってきた戻り光を集光する集光レンズ５５と、戻り光を受光する受光素子５６とを備えている。
【００２７】
ホルダ４３には、所定の波長からなるマルチビームのレーザ光を出射する半導体レーザ７１が取り付けられている。この半導体レーザ７１は、半導体の再結合発光を利用した発光素子である。この半導体レーザ７１は、レーザ光の出力が一定になるようにＡＰＣ４２により駆動電流が制御された上で、情報源５８から供給される情報信号に基づくレーザ光を出射する。
【００２８】
ビームスプリッタ４４は、半導体レーザ７１から出射されたレーザ光を透過させて光ディスク２に導くとともに、光ディスク２から反射して戻ってくる戻り光を反射させて受光素子５６へと導く。このビームスプリッタ４４を透過した発散光であるレーザ光は、コリメータレンズ４５により平行光とされ、１／４波長板４７を通過する。なお、ビームスプリッタ４４は、半導体レーザ７１から出射されたレーザ光が偏光を有する場合に、偏光ビームスプリッタを用いることで、光ディスク２から反射して戻ってくる戻り光が半導体レーザ７１に戻るのを防止することができる。
【００２９】
ミラー４６は、ビームスプリッタ４４を透過したレーザ光を反射されることにより光路を折り曲げる。これにより、レーザ光は、光学ヘッド４の下方に位置する光ディスク２の信号記録面２ａに対して略垂直に照射されることになる。
【００３０】
１／４波長板４７は、通過するレーザ光にπ／２の位相差を与えるものである。半導体レーザ７１から出射された直線偏光のレーザ光は、１／４波長板４７を通過して円偏光となる。また光ディスク２を反射して戻ってくる円偏光のレーザ光は、この１／４波長板４７を通過した場合に、直線偏光となる。
【００３１】
レンズブロック３８は、ミラー４６を反射したレーザ光の光路中に配設されており、このレーザ光を集光して光ディスク２の信号記録面２ａ上に照射させる機能を有する。このレンズブロック３８は、自身が備える２軸アクチュエータによって、光ディスク２に近接離間する方向及び光ディスク２の径方向の２軸方向に移動可能に支持されている。そして、このレンズブロック３８は、光ディスク２からの戻り光により生成された制御信号に基づいて、２軸アクチュエータにより移動動作され、フォーカシング制御が実現されることになる。
【００３２】
光ディスク２の信号記録面２ａ上に集光された各レーザ光は、この信号記録面２ａで反射され、レンズブロック３８を通過することにより平行光となる。そして、光ディスク２から反射して戻ってくる戻り光は、１／４波長板４７を介してコリメータレンズ４５を通過することにより集束光とされ、ビームスプリッタ４４を反射する。
【００３３】
また、受光素子５６は、ビームスプリッタ４４を反射し、集光レンズ５５により集光されたレーザ光を受光して光電変換して後述するギャップエラー信号ＧＥを生成し、これをギャップ制御部６へ供給する。ちなみに、この受光素子５６上においてマルチビームのレーザ光の光スポットに対応した数の検出パターンを作製しておくことにより、それぞれ独立した信号として取得することが可能となる。また、この受光素子５６に形成された検出パターンを最適化することにより、例えばプッシュプル法に基づいて光スポットを読み取ることも可能となる。
【００３４】
次に、レンズブロックの詳細について更に詳しく説明する。レンズブロック３８は、ミラー４６を反射したレーザ光の光路中に配設されており、図２に示すように、対物レンズ６２と、ＳＩＬ（Solid Immersion Lens）６３と、レンズフォルダ６４と、２軸アクチュエータ６５とを備えている。
【００３５】
対物レンズ６２は、レーザ光を集光してＳＩＬ６３に供給する機能を有する非球面レンズである。ＳＩＬ６３は、球形レンズの一部を平面にして切り取った形状をした高屈折率のレンズである。ＳＩＬ６３は、信号記録面２ａに近接配置され、対物レンズ６２から供給されたレーザ光を球面側から入射し、球面と反対側の面（端面）の中央部に集束させる。
【００３６】
なお、このレンズブロック３８では、上述したＳＩＬ６３の代替として、反射ミラーが形成されたＳＩＭ（Solid Immersion Mirror）を用いてもよい。
【００３７】
レンズフォルダ６４は、対物レンズ６２と、ＳＩＬ６３とを所定の位置関係で保持している。ＳＩＬ６３は、レンズフォルダ６４によって、球面側が対物レンズ６２と対向するように、また球面と反対側の面（端面）が光ディスク２の信号記録面２ａと対向するように保持される。
【００３８】
このように、レンズフォルダ６４によって対物レンズ６２と、信号記録面２ａとの間に高屈折率のＳＩＬ６３を配置することで、対物レンズ６２のみの開口数よりも大きな開口数を得ることができる。一般に、レンズから照射されるレーザ光のスポットサイズは、レンズの開口数に反比例することから、対物レンズ６２、ＳＩＬ６３によって、より微小なスポットサイズのレーザ光にすることができる。
【００３９】
２軸アクチュエータ６５は、ギャップ制御部６から制御信号として出力される制御電圧に応じてフォーカス方向にレンズフォルダ６４を動作させる。
【００４０】
レンズブロック３８において定義されるエバネセント光は、ＳＩＬ６３の端面に臨界角以上の角度で入射され全反射したレーザ光の反射境界面から滲み出した光である。ＳＩＬ６３の端面が、光ディスク２の信号記録面２ａから、後述するニアフィールド（近接場）内にある場合に、ＳＩＬ６３の端面より滲み出した上述のエバネセント光は、信号記録面２ａに照射されることになる。
【００４１】
続いて、ニアフィールドについて説明をする。一般に、ニアフィールドは、図２に示すようにＳＩＬ６３の端面から、光ディスク２における信号記録面２ａまでの距離（ギャップ）をｄとしたとき、ＳＩＬ６３に入射されたレーザ光の波長λによってｄ≦λ／２と定義される領域がニアフィールドである。即ち、光ディスク２の信号記録面２ａと、ＳＩＬ６３の端面との距離で定義されるギャップｄが、ｄ≦λ／２を満たし、ＳＩＬ６３の端面からエバネセント光が光ディスク２の信号記録面２ａに滲み出す状態をニアフィールド状態といい、ギャップｄが、ｄ＞λ／２を満たし、信号記録面２ａ上にエバネセント光が滲み出さない状態をファーフィールド状態という。
【００４２】
ところで、ファーフィールド状態である場合、ＳＩＬ６３の端面に臨界角以上の角度で入射されたレーザ光は、全て反射されて戻り光となる。したがって、図３に示すようにファーフィールド状態での戻り光量は、一定値となっている。
【００４３】
一方、ニアフィールド状態である場合、ＳＩＬ６３の端面に臨界角以上の角度で入射されたレーザ光の一部は、上述したように、ＳＩＬ６３の端面つまり反射境界面において、エバネセント光として光ディスク２の信号記録面２ａに滲み出す。従って、図３に示すように全反射されたレーザ光の戻り光量は、ファーフィールド状態のときより減少することになる。また、このニアフィールド状態における戻り光量は、ＳＩＬ６３端面とディスク２との距離に依存して減少する。
【００４４】
なお、ニアフィールド状態である場合において、戻り光量がギャップ長に対して線形に変化する線形領域と、非線形に変化する非線形領域とに分類することができる。従って、ＳＩＬ６３の端面の位置がニアフィールド状態にあり、かつ線形領域に属する場合には、戻り光量を受光素子５６により受光して光電変換してギャップエラー信号ＧＥを生成し、これに基づきフィードバックサーボを行うことにより、ギャップを一定に制御することが可能となる。即ち、図３に示すように戻り光量が制御目標値Ｐになるように制御を行えば、ギャップｄを一定の距離に保持することが可能となる。
【００４５】
ちなみに、このレンズフォルダを構成する対物レンズ６２、ＳＩＬ６３の組み合わせにより、ＮＡ＝１．８３の高ＮＡ状態を形成しているが、かかる場合に限定されるものではなく、ＮＡが１．０以上であれば、近接場光を滲出させることが可能となる。
【００４６】
上述した構成からなるレンズブロック３８におけるギャップｄをλ／２以下となるまで信号記録面２ａへ近接させることから、この案内溝の代替として畝（ランド：Land）を設けると走査時にこれに衝突する可能性もあることから、案内溝を凹状にすることで、本発明の効果がより顕著になる。
【００４７】
このように、本発明を適用した光記録装置１では、２軸アクチュエータ６５を用いることによりフォーカス制御を行うことができるため、光スポットに対する対物レンズの位置が厳格に求められる近接場光による記録再生において、より信頼性の高い処理を実現することが可能となる。
【００４８】
次に、本発明を適用した光記録装置１により情報信号を記録する光ディスク２の詳細な構成につき説明をする。
【００４９】
この光ディスク２は、より簡略に示すと例えば図４に示すように、案内溝８１ａが形成された基板８１上に、少なくとも記録層８３が積層されてなる。
【００５０】
基板８１は、例えばポリカーボネートからなる。この基板８１に形成された案内溝８１ａは、例えば電子線等を用いて露光することにより容易にナノメータサイズの幅となるようにカッティングすることが可能となる。即ち、この基板８１は現状のマスタリング装置を用いて容易に作製することができる。
【００５１】
また記録層８３は、ＧｅＳｂＴｅ等の材料からなる相変化記録膜で構成され、またこれを光磁気記録膜で構成する場合には、例えばＴｂＦｅＣｏ等の材料からなる。
【００５２】
この光ディスク２の最表面には、案内溝８１ａが形成されている位置に応じて微小な凹部８５ａがさらに形成されている。特に光ディスク２の最表面に至るまでの層をダイヤモンド状カーボン （DLC;Diamond Like Carbon）膜等のような固形かつ無機系の膜や紫外線硬化樹脂を用いることにより、レジスト等を使用する場合と比較して凹部８５ａを効率的に形成させることができる。
【００５３】
なお、近接場光を用いて高密度の光記録を行う場合には、この凹部８５ａの領域を極力少なくすることにより、平坦な部分の面積を増加させることが望ましいが、マルチビームを利用する光記録装置１では、形成させる光スポットの数に対する案内溝８１ａの割合を極力減らすことができる点において有利となり、記録密度を高めることも可能となる。
【００５４】
ちなみに、この凹部８５ａのサイズは、例えば深さが３０ｎｍであり、幅が約８０ｎｍで構成されるが、かかるサイズに限定されるものではない。
【００５５】
即ち、本発明を適用した光記録装置１では、最表面に凹部８５ａが形成された光ディスク２に対して近接場光の光スポットを形成させることにより記録処理を実現することができることに加え、かかる凹部８５ａに追従させた各種動作を実行させることができる。またこの凹部８５ａを利用したガイドトラックの信号の取得をも実現することができる。特にこの凹部８５ａの位置は、上述した案内溝８１ａの位置に応じて形成させることでかかるメリットが出てくる。
【００５６】
このような構成からなる光ディスク２に対して、光記録装置１により、近接場光をマルチビームで照射する場合につき説明をする。
【００５７】
図５は、上述した構成からなるレンズブロック３８において、マルチビームの近接場光を信号記録面２ａに対して滲出させる例を示している。マルチビームのレーザ光のうち実線で示される第１のレーザ光に基づく近接場光は、信号記録面２ａにおけるｐ点へ照射されることになる。またこのマルチビームのレーザ光のうち点線で示される第２のレーザ光に基づく近接場光は、信号記録面２ａにおけるｑ点へ照射されることになる。
【００５８】
図６は、レンズブロックからの近接場光により形成される光スポットを図５中Ｄ方向から示している。マルチビームの各光スポットは、図６に示すように、光ディスク２のディスク進行方向Ａに対して垂直な案内溝８１ａを挟むようにして一列に配置することになる。この光スポットの中心位置を結ぶ直線の案内溝８１ａに対する角度φはいかなる値であってもよい。かかる場合には角度φを予め識別しておくことにより、各光スポットの距離を取得することが可能となり、後段の信号処理における有利性を確保することができる。
【００５９】
この図６において、マルチビームの各光スポット間の、光ディスク２の径方向Ｂにおける距離をｄとした場合に、この案内溝８１ａの幅をｄ以下とすることにより、トラッキング情報を両光スポットに基づく光量の変化から検出することが可能となり、例えばプッシュプル信号を検出することによりかかるトラッキング情報を得ることも可能となる。
【００６０】
ちなみに、この案内溝８１ａは、図７に示すように蛇行されて形成されていてもよい。即ち、クロックやアドレス等の情報に基づいて案内溝８１ａを蛇行させることにより、かかる案内溝８１ａを跨ぐようにして形成された２つの光スポットからなる光スポット列により、信号検出することも可能となる。即ち、この２つの光スポットにより戻り光の案内溝８１ａとのズレ分を算出し、それを誤差信号として２軸アクチュエータ６５に与えることにより上述の如きトラッキングが実現されることになる。
【００６１】
このようにして案内溝８１ａに光スポットを追従させることにより、例えば螺旋状に案内溝８１ａが描かれている場合には、光ディスク２を１周させた後には、図６,７に示す実線で示される位置から点線で示される位置まで光スポット列が移動することになる。
【００６２】
なお、この案内溝８１ａ間のピッチは、ｎ個の光スポットからなる光スポット列を形成させる場合において、ｎ×ｄとなるように制御してもよい。これにより、形成させる光スポットの中心を結ぶ直線が仮に案内溝８１ａに対して垂直方向となる場合であっても、光スポットの照射位置が互いに重なり合うことがなくなり、光ディスク２への記録再生処理を効率よく行うことが可能となる。
【００６３】
また、光スポットを光ディスク２上に一度に４つ形成させる例を図８に示す。この図８に示されるように、案内溝８１ａを挟むようにして両側に２つずつ光スポットが形成されている。案内溝８１ａ螺旋状に描かれている場合には、光ディスク２を１周させた後には、図８に示す実線で示される位置から点線で示される位置まで光スポットが移動することになる。なお、案内溝８１ａの両側に形成される光スポットの数は１：１の比になるのが望ましいが、これに限定されるものではなく、いかなる比で構成されていてもよい。例えば、案内溝８１ａの一端側に１つの光スポットが、他端側には３つの光スポットが１：３の比で構成されていてもよい。また光スポットは、案内溝８１ａに応じて形成されているものであれば、案内溝８１ａの一端側のみに４つ並べる構成であってもよい。さらに、この光スポットの数は複数であればいかなるものであってもよい。
【００６４】
光スポットを光ディスク２上に一度に４つ形成させる場合も同様にｎ×ｄの式から４ｄ、即ち４つ分のスポット間隔以上に案内溝８１ａの間隔を制御することにより、光スポットの照射位置が互いに重なり合うことがなくなり、光ディスク２への記録再生処理を効率よく行うことが可能となる。
【００６５】
なお、本発明を適用した光記録装置１では、ニアフィールドと、ファーフィールドの２つのモードに基づいて信号を記録することができる例について説明をしたが、かかる場合に限定されるものではなく、ニアフィールドのみのモードに基づいて近接場光により信号を記録できる装置に適用してもよい。また、本発明を適用した光記録装置１により、光ディスク２に記録されている信号を再生できる構成を採用してもよいことは勿論である。
【図面の簡単な説明】
【００６６】
【図１】本発明を適用した光記録装置の構成について説明するための図である。
【図２】光記録装置が備えるレンズブロックについて説明するための図である。
【図３】戻り光量とギャップ間距離との関係について説明するための図である。
【図４】本発明を適用した光記録装置により信号の記録が行われる光ディスクの構成につき説明するための図である。
【図５】本発明を適用した光記録装置に搭載されるレンズブロックにおいて、マルチビームの近接場光を信号記録面に対して滲出させる例を示す図である。
【図６】レンズブロックからの近接場光により形成される光スポットを図５中Ｄ方向から示す図である。
【図７】この案内溝を蛇行されて形成させる例を示す図である。
【図８】光スポットを光ディスク上に一度に４つ形成させる例を示す図である。
【符号の説明】
【００６７】
１  光記録装置、２  光ディスク、３  スピンドルモータ、４  光学ヘッド、６  ギャップ制御部、４２  ＡＰＣ、４３  ホルダ、４４  ビームスプリッタ、４５  コリメータレンズ、４６  ミラー、４７  １／４波長板、４８  レンズブロック、５５  集光レンズ、５６  受光素子、５８  情報源
【図１】
2006012336.tif 000003
【図２】
2006012336.tif 000004
【図３】
2006012336.tif 000005
【図４】
2006012336.tif 000006
【図５】
2006012336.tif 000007
【図６】
2006012336.tif 000008
【図７】
2006012336.tif 000009
【図８】
2006012336.tif 000010